(57)【要約】  光情報担体（１１）のコピー・プロテクトが、特定の位置（１３）に格納されたソフトウェア・コンポーネントの可読性に影響を及ぼすために、情報運搬層（２）の物理的変更によって提供される。コンピュータは、特定の位置（１３）に格納されたソフトウェア・コンポーネントの特定の部分の読取りを試みることによって物理的変更を検出し、この特定の部分は、情報担体自体からの取得またはユーザ操作によってコンピュータに入力された一意の識別コードよって指定される。物理的変更が、情報担体に、コンピュータ上のその最初のインストール時に与えられると、新規の特徴が、情報担体が最初にインストールされたこのコンピュータとは別のコンピュータ上でリプレイすることによる情報担体の無許可の使用のプロテクトに加えて、同じコンピュータ上の情報担体の任意の後段のリプレイに関して情報担体が真性のオリジナルの製品であることの検証を提供する。
2009506470.tif 000002
【特許請求の範囲】
【請求項１】
比較的硬質の円盤状の透明素材の基板部材（１）と、前記基板部材の片面に付与され、反射面および複数の情報またはデータ運搬構造体（５，６）を、前記基板部材に対向する側面上に備える情報運搬層（２）とを含み、前記構造体に格納されたソフトウェアは、前記情報担体を受け入れるようにされたコンピュータ・デバイスの光学式読取りシステム（７，８）によって読取り可能であり、前記光情報担体は、前記情報またはデータ運搬構造体に格納された少なくとも１つのソフトウェア・コンポーネントの可読性に影響を及ぼす前記情報運搬層の意図的な物理的変更を引き起こすようにされた変更手段（１２）をさらに含み、前記ソフトウェアは、前記コンピュータ・デバイスに、前記情報担体上の前記ソフトウェアの読取り中に前記物理的変更の発生を検出するように促し、前記物理的変更の不検出によって前記ソフトウェアの読取りを中断するように促す情報を含み、前記コンピュータは、一意の識別コードによって、前記光情報担体上の前記ソフトウェア情報の読取りを完了するように条件付けられた光情報担体であって、前記一意の識別コードは、前記１つのソフトウェア・コンポーネントの少なくとも一部分の識別子を含み、前記情報担体に格納された前記ソフトウェアは、前記コンピュータ・デバイスが、前記識別コードを格納し、前記識別コードによって識別された前記ソフトウェア部分またはコンポーネントの前記検出を制限するようにする情報を含むことを特徴とする光情報担体。
【請求項２】
前記識別コードは、前記光情報担体に格納されることを特徴とする請求項１に記載の光情報担体。
【請求項３】
前記識別コードは、前記少なくとも１つのソフトウェア・コンポーネントに格納されることを特徴とする請求項２に記載の光情報担体。
【請求項４】
前記識別コードの複製が、前記少なくとも１つのソフトウェア・コンポーネントの外側で前記光情報担体に格納されて、前記複製を前記コンピュータ・デバイスに格納された前記識別コードと比較することによって、前記物理的変更の後の前記コンピュータ・デバイス上での前記光情報担体の反復の読取りを可能にすることを特徴とする請求項３に記載の光情報担体。
【請求項５】
前記変更手段は、情報担体層の一部分に接合される少なくとも１つの取外し可能なセキュリティ要素を含み、前記１つのソフトウェア・コンポーネントが、前記セキュリティ要素の取外しによって前記物理的変更を引き起こす接合によって格納されることを特徴とする請求項１から３のいずれかに記載の光情報媒体。
【請求項６】
前記セキュリティ要素は、前記情報運搬層の前記一部分を含み、スクレーピングによって取外し可能であることを特徴とする請求項５に記載の光情報媒体。
【請求項７】
前記情報運搬層の外側面が、前記スクレーピング可能なセキュリティ要素の前記情報運搬層への直接接合を可能にするために、前記情報運搬層の前記一部分上を除いて保護層によって覆われることを特徴とする請求項６に記載の光情報媒体。
【請求項８】
前記保護層は、プリンティング処理によって付与されたアクリル層を含むことを特徴とする請求項７に記載の光情報媒体。
【請求項９】
前記変更手段は、前記情報運搬層の複数の個別の部分に接合されたいくつかの取外し可能なセキュリティ要素を含み、それぞれが、特定のソフトウェア・コンポーネントを格納し、前記情報運搬層の前記複数の個別の部分は、連続した順序での前記セキュリティ要素の取外しによって前記情報担体が前記コンピュータ・デバイス上でリプレイされうる回数の限定のための複数の個別の識別コードによって指定されることを特徴とする請求項５から８のいずれかに記載の光情報媒体。
【請求項１０】
前記いくつかのセキュリティ要素は、前記連続した順序で可視的に番号が付けられることを特徴とする請求項９に記載の光情報媒体。
【発明の詳細な説明】
【技術分野】
【０００１】
本発明は、光情報担体のプロテクトに関し、特に、コンピュータ・デバイス、とりわけパーソナル・コンピュータのような単一の再生装置の情報の合法的使用を制限する目的で、情報担体などの情報またはデータ構造体に格納された前記情報コンテンツの無許可のコピーに対するＣＤおよびＣＤ−ＲＯＭディスクのプロテクトに関する。
【背景技術】
【０００２】
ＣＤまたはＣＤ−ＲＯＭディスクの形態の光情報担体は、音楽、コンピュータ・ソフトウェア製品、コンピュータ・ゲームなどを含む様々なタイプの情報のための非常に一般的な広く使用される記憶媒体となっている。
【０００３】
通常の合法な取引では、ＣＤ−ＲＯＭ上の情報コンテンツは、単一のユーザのみによる使用が意図されているが、無許可のコピーによる情報コンテンツの不正流用が、非営利の個人的使用の形のより小さな規模と商業目的の海賊行為のトラフィックの形のより大きな規模との両方で大きな問題となっている。
【０００４】
コピーのトラフィックの性質に関わりなく、コピーおよび海賊行為の問題は、音楽およびコンピュータ・ソフトウェア産業に非常に大きな損失をもたらしている。
【０００５】
海賊ソフトウェアに対抗するために、製作者は、少数を挙げるだけでも、情報の解読、特別のデータ・フォーマッティング、複雑なインストール手順、およびパスワードの使用を含めて様々な多数の手法を開発し実施している。したがって、プロテクトの従来の手法は、コンピュータ可読識別コードを情報担体上に組み込み、同じコードをアクセス可能な形態で通常の合法的売買取引の購入者に供給し、それにより、プロテクトされた情報担体をロードされたコンピュータだけが、ユーザ操作による識別コードの入力後に、格納された情報コンテンツを読み取ることを可能になされる。明らかに、この概念により提供されるプロテクトは、購入するユーザならびにそのユーザに関係する他のユーザによって売買取引の一部として供給される識別コードの反復使用を防止できないという意味で不十分である。
【０００６】
さらに、ＣＤ−ＲＯＭディスクのコンテンツを、たとえそれが識別コードによってプロテクトされていても直接コピーを可能にする様々な比較的単純なプログラムが、インターネットからダウンロードされうる。このタイプのソフトウェアのコピーは、ＣＤ−ＲＯＭに格納されたコードを単純に局所化し、コンピュータがＣＤ−ＲＯＭ上の全情報コンテンツを読み取ることを可能にするのに必要な制御データを生成する。
【０００７】
従来技術の海賊行為対策の手法の使用に関する他の問題は、さもなければ許容される情報の使用に課される制限または限定によるこれらの方式に対するエンド・ユーザの幅広い抵抗であり、一般に、そのような限定は、「購買前のテスト」ができないこと、正当なバックアップ・コピーの生成の制限、および、パスワードまたは識別コードが漏洩または暴露されたあとのパスワードプロテクトの失敗を含む。コピー・プロテクトの概念がエンド・ユーザの容認を得ることの失敗は、深刻な問題と見なされ、産業および商業では、多くの場合、プロテクトの努力を放棄し、著作権法を遵守する顧客の誠実さに依存することを選択している。
【０００８】
これらの問題に対し解決策を提供する試みとして、コピー・プロテクト方法が、国際特許出願ＷＯ９８／４１９７９に開示されており、この方法は、光記憶媒体上のエンコードされた情報のアクセシビリティの意図的変更に全体的に基づいている。この概念の様々な提案された実装形態のうち、１つの実施の形態は、デバイスの提供による光記憶媒体の変更を対象とし、媒体上の情報コンテンツが最初にアクセスされたとき、デバイスが意図的に光媒体にダメージを与え、それによって、後続の情報アクセスが試みられると検出エラーの意図的生成によって先行のアクセスが検出されうる。光記憶媒体にダメージを与えるために使用されるデバイスは、光記憶媒体に取り付けられたリブコード（ｒｉｂｃｏｒｄ）の形態としてもよく、将来の違法なコピーを防止するための光ディスク上の所定の位置の検出エラー・プロファイルのような変更における所定の位置の検出エラー・プロファイルのような物理的変更の形態で情報担体に意図的なダメージを与えるために、デバイスは最初の使用中にユーザによって手動で取り外されなければならない。
【０００９】
この従来技術の解決策では、ダメージを与えるデバイスの取外しによって引き起こされる情報担体への意図的ダメージは、コンピュータの該当のドライブからのＣＤのような情報担体の除去によって行われるが、該当のドライブにおける情報担体の再挿入の後、コンピュータ内の検出手順に従う。検出が肯定の場合、コンピュータは、重大なコンピュータ・コンポーネントおよび情報担体のシリアル番号のような実際のコンピュータおよび実際の情報担体に特有のデータを含む構成指紋の形態で、識別コードを生成する。この識別コードは、表示および／または印刷によってユーザに出力され、ユーザは、情報担体上に識別コードを手書きするように求められる。次いで、ユーザは、コンピュータによって生成されコンピュータに格納された識別コードと比較するためにコンピュータに識別コードを手入力するように指示され、それにより、ユーザによって入力されたコードとコンピュータに格納されたコードとに一致が見られた場合のみ、ソフトウェアのインストールの完了が可能にされる。
【００１０】
明らかに、上記に概説したような手順の要件は、この従来技術の解決策の不便な複雑化および欠点を、情報担体に格納されるべき制御またはインストール・データの構造化、および初期インストール手順に必要な時間について示唆する。
【００１１】
この複雑化および欠点は、コンピュータ・デバイスが読取りを完了することを可能にすることおよびディスク上への情報の格納に必要な制御データを格納するコンパクト・ディスクの情報またはデータ運搬構造体の一部分に接合されたセキュリティ部材の取外しによる、本出願者の国際特許出願ＷＯ０３／５２５６２に開示された光情報担体用のコピー・プロテクト概念によって回避される。セキュリティ部材により運搬された一意の秘密の識別コードのコンピュータ・デバイスへの入力によって、コンピュータ・デバイスは、読取りおよび格納動作を再開し完了することが可能にされ、それに対し、情報の読取りおよび格納の後段の試みは、セキュリティ部材の取外しによって異なる変更がされる。それにより、ＣＤ  ＲＯＭのような保護された光情報担体の使用は、単一のコンピュータ・デバイスにおけるそのコンテンツの読取りおよび格納に限定される。この概念により与えられる単純化は、限定によって達成されるが、制御データの変更は、物理的セキュリティ部材の取外しによってのみ有効であり、これは、さらに、初期に隠したやり方で識別コードを取り込むこと、および、セキュリティ部材の取り外した後にユーザへ識別コードを開示することを可能にしなければならない。
【発明の開示】
【発明が解決しようとする課題】
【００１２】
以上に概説した背景を踏まえ、本発明の目的は、不法なコピーに対する上記の種類の光情報担体のプロテクトについて比較的簡素で複雑でなく廉価な解決策を提供することであり、それにより、従来技術の解決策の短所および欠点が、取外し可能なセキュリティ部材の物理的形態に関して望ましくない制限をもたらさずに、回避するかまたは少なくとも著しく低減される。それにより、情報担体の正当な使用を単一のコンピュータに制限すると同時に、なお、そのコンピュータ上での情報担体の反復リプレイ、およびバックアップ・コピーの生成を可能にし、しかし、後段の不正流用を防止する。
【課題を解決するための手段】
【００１３】
本発明によれば、光情報担体は、比較的硬質の円盤状の透明素材の基板部材と、基板部材の片面に付与され、反射面および複数の情報またはデータ運搬構造体を、基板部材に対向する側面上に備える情報運搬層とを含み、前記構造体に格納されたソフトウェアは、情報担体を受け入れるようにされたコンピュータ・デバイスの光学式読取りシステムによって読取り可能であり、光情報担体は、前記情報またはデータ運搬構造体に格納された少なくとも１つのソフトウェア・コンポーネントの可読性に影響を及ぼす情報運搬層の意図的な物理的変更を引き起こすようにされた変更手段をさらに含み、前記ソフトウェアは、コンピュータ・デバイスに、情報担体上の前記ソフトウェアの読取り中に前記物理的変更の発生を検出するように促し、前記物理的変更の不検出によって前記ソフトウェアの読取りを中断するように促す情報を含み、前記コンピュータは、一意の識別コードによって、前記光情報担体上の前記ソフトウェア情報の読取りを完了するように条件付けられている。これらの特徴の組合せは、ＷＯ９８／４１９７９に開示された先行技術の解決策に対応する。
【００１４】
上記の目的を達成するために、当該の情報担体は、本発明によれば、一意の識別コードが、前記１つのソフトウェア・コンポーネントの少なくとも一部分の識別子を含み、情報担体に格納された前記ソフトウェアは、コンピュータ・デバイスが、前記識別コードを格納し、識別コードによって識別されたソフトウェア部分またはコンポーネントのみに前記検出を制限するようにする情報を含むことを特徴とする。
【００１５】
情報運搬層の意図的な物理的変更の検出を、情報担体の情報およびデータ運搬構造体における特定の局在性を有する少なくとも１つの特定のソフトウェアの影響された可読性の検出のみに制限することによって、コピー・プロテクトの回避に対する改善された防護措置が、意図的な物理的変更の後に行われる各リプレイごとの真性のオリジナルのコピー・プロテクトされた媒体の使用の真の検証と一緒に提供される。
【００１６】
ＥＰ１０２５５６０Ｂ１に開示されるように、情報およびデータ運搬構造体の意図的変更が、取外し可能なセキュリティ部材を使用なしに光化学手段によって行われる先行技術の概念に反して、本発明のコピー・プロテクトは、コンパクト・ディスクのような光情報担体の作製のための最新の製造技術に対するわずかな変更のみで実装されうる。
【００１７】
本発明の概念の実装において、一意の識別コードによって識別されるソフトウェア・コンポーネントであって、その可読性をコンピュータ・デバイスにおける検出手順がターゲットとする特定のソフトウェア・コンポーネントは、一般に、情報担体の情報およびデータ運搬構造体の特定のセクタに格納された一連のバイトを含む。検出の結果としてＥＲＲＯＲ＿ＣＲＣやＥＲＲＯＲ＿ＩＮＶＡＬＩＤ＿ＦＵＮＣＴＩＯＮのような読取りエラーの表示が得られた場合、これは、意図的な物理的変更の適切な実行の検証として機能することになる。
【００１８】
本発明の概念は、識別コードをコンピュータ・デバイスへの格納のために使用可能にするいかなる特定の形態に拘束されず、また、ユーザ操作によって例えばキーワードを介してコンピュータ・デバイス内へ、情報担体のユーザの購入の部分としてまたは通信の種々の代替手段によってユーザに伝達された識別コードの入力を可能にするが、本発明によれば、識別コードは、光情報担体それ自体に、すなわちそれの情報およびデータ運搬構造体に格納されることが好ましい。
【００１９】
特定の好ましい実施の形態では、識別コードは、可読性が情報運搬層の意図的な物理的変更に影響される特定のソフトウェア・コンポーネントに格納され、それにより、識別コードが、物理的変更の実行後にもはや使用可能でなくなる。
【００２０】
本発明の概念は、意図的な物理的変更の実行のために情報担体に組み込まれた変更手段のいかなる特定の形態にも等しく拘束されず、前述の光化学手段などの情報担体の情報運搬層に一体化される変更手段による物理的変更の実施にも有益でありうる一方、本発明の好ましい実施の形態は、情報担体層の一部分に接合される少なくとも１つの取外し可能なセキュリティ要素を含む変更手段を利用し、前記１つのソフトウェア・コンポーネントが、セキュリティ要素の取外しにより前記物理的変更を引き起こす接合によって格納される。
【００２１】
特に単純かつ有利なこの種の実施の形態では、セキュリティ要素は、情報運搬層の前記一部分を含み、スクレーピングにより取外し可能である。それにより、情報運搬層の該当する部分が、情報担体から除去され、識別コードによって指定された１つまたは複数のソフトウェア・コンポーネントの位置において層に穴を残す。
【００２２】
明らかに、スクレーピングによるセキュリティ要素の取外しは、コンピュータによってユーザへ表示された勧誘に応答したコンピュータＣＤ−ＲＯＭドライブからのＣＤ−ＲＯＭディスクの物理的除去による影響を受ける。セキュリティ要素の取外しによって除去あれた情報運搬層の一部分は、ＣＤ−ＲＯＭディスクのためのインストール・ソフトウェアの少なくとも一部分を含むため、セキュリティ要素の取外しは、ディスクの最初の読取りが行われたコンピュータ以外のどのコンピュータによるプロテクトされたディスクの使用およびリプレイも効果的に防止する。
【００２３】
情報担体をコンピュータ・ドライブに再挿入すると、コンピュータは、セキュリティ要素の取外しによって除去された特定のソフトウェア・コンポーネントの可動性の検出を行うように促される。この検出手順は、ドライブからの情報担体の除去前に情報担体それ自体から、またはユーザ操作の入力によって、コンピュータへ転送された一意の識別コードによって制御され、一方、情報担体は、セキュリティ要素の取外しのために除去される。
【００２４】
この検出手順は、識別コードによって識別されたＣＤ−ＲＯＭ上の特定の位置における読取りエラーの識別に帰着する場合のみ、コンピュータは、情報担体に格納されたすべてのソフトウェア・コンポーネントの完全な読取りを促されることになる。
【００２５】
さらに他の好ましい実施の形態によれば、識別コードの複製が、前記少なくとも１つのソフトウェア・コンポーネントの外側で光情報担体に格納されて、前記複製をコンピュータ・デバイスに格納された識別コードと比較することによって、前記物理的変更の後の前記コンピュータ・デバイス上での光情報担体の反復の読取りが可能にされる。
【００２６】
コンピュータ・デバイス上のプロテクトされた情報担体の代替的なリプレイでは、取外し可能なセキュリティ要素を変更手段として利用する上記の実施の形態のさらなる展開により、限定された回数が可能にされうる。代替の実施の形態によれば、変更手段は、情報運搬層の複数の個別の部分に接合されたいくつかの取外し可能なセキュリティ要素を含み、それぞれが、特定のソフトウェア・コンポーネントを格納し、前記情報運搬層の複数の個別の部分は、連続した順序での前記セキュリティ要素の取外しによって情報担体が前記コンピュータ・デバイス上でリプレイされうる回数の限定のための複数の個別の識別コードによって指定される。
【００２７】
この代替の実施の形態のユーザ操作を促進するために、情報担体上のセキュリティ要素の数は、前記連続した順序で可視的に番号が付けられてもよい。
【００２８】
以下では、添付の図面を参照して本発明がさらに説明される。
【発明を実施するための最良の形態】
【００２９】
図１および４に示されるように、従来の比較的薄いＣＤ−ＲＯＭディスク１１のような光情報媒体は、典型的には、ディスクの支持基盤構造体の役割をし、ディスクの一方の外面を形成するポリカーボネートのような硬質の支持プラスチック材料の役割をするポリカーボネートのような透明な比較的硬質のプラスチック材料の円盤状の基板部材１から成る。
【００３０】
基板部材１の一方の面において、比較的薄い情報運搬層２が、基板部材に付与される。情報運搬層２は、基板部材１に対して反対の側面が、ディスクの他方の外側面を形成するアクリル・ラッカー層のような保護層３によって覆われ、保護層３には、通常、識別および情報用途でラベル４が貼られる。
【００３１】
情報運搬層２は、例えばアルミニウムの金属層のような反射層であり、いわゆるピット５およびランド６の形態で複数の情報およびデータ運搬構造体が、ディスクの外周から中心に向けて延長する単一のらせん状トラックに沿って形成され、中心で、穴が、従来のコンピュータ・デバイスのＣＤ−ＲＯＭドライブのような読取りシステムの回転駆動機構体と係合するように設けられる。
【００３２】
当技術分野で知られているように、情報およびデータ運搬構造を提供するらせん状トラックにおける隣接の巻線を互いの離隔は、ＣＤ−ＲＯＭディスクの良く知られた大記憶容量を提供するために０．６μｍまで小さくすることができる。
【００３３】
情報およびデータ運搬層２は、厚さが約１μｍでよく、従来のスタンピング工程により基板部材３に接合されてよく、それにより、ピット５が、基板部材３の透明材料に押し込まれる。従来、情報およびデータ運搬構造体を形成するランド５とピット６のレベル差は、後述される読取り動作に使用される問合せレーザ・ビームの１／４波長に達する。
【００３４】
図２および３に示されるように読取り動作の際に、ディスクが、コンピュータ・デバイスのＣＤ−ＲＯＭドライブによって一定の線速度で回転運動させられるとともに、レーザ光源のディスクの外周から中心への径方向の伝播中に、反射層２のピット５のレベルで収束されたレーザ光の問合せビーム１０のレーザ源７からの放射によって、読取りが行われ、レーザ・ビーム１０は、ピット５のレベルでレーザ感知光検出器８に向かって反射される。
【００３５】
検出の一定の線速度を達成するために、ディスクの回転の角速度は、問合せレーザ・ビームがディスク１１の外周から中心に向かって移動するのに伴って増加する。衝突する問合せビーム１０に応答して反射層２によって返される光パルスは、例えば、ビット「１」および「０」がピット５およびランド６から反射された光にそれぞれ対応する、デジタル・データに変換され、デジタル・データは、回線９を介してコンピュータ内の処理装置に伝達される。
【００３６】
反射層２の情報およびデータ運搬構造に格納された情報は、ディスク１１に含まれるコンピュータ・ゲームのようなソフトウェア・アプリケーションの実体に関係するユーティリティ情報に加え、読取り動作ならびに読取り動作によって得られた光または光学情報の変換によって得られたデジタル情報の入力および格納の適切な遂行を可能にするためにコンピュータ・デバイスに必要とされるインストールまたは制御データも含む。したがって、読取り動作中に、ユーティリティ情報の有意味な読取りおよび格納が遂行されうる前に、インストールまたは制御データが最初にアクセスされコンピュータに入力されなければならない。
【００３７】
従来、インストールまたは制御データは、ディスク１１上の所定かつ定義された地理的位置を有する層２における情報およびデータ運搬構造体の少なくとも１つのセクタを含むサブセットに限定されうる。インストールおよび制御データは、通常、例えば約１２０ｍｍの総ディスク直径のうち６ｍｍの幅を有する、ディスク１１の比較的狭い領域に限定される。制御データは、ディスク上の任意の所定の地理的位置に局所化されてもよい。
【００３８】
図４および５に示された本発明のコピー・プロテクトされた光情報担体の好ましい実施の形態では、ＣＤ−ＲＯＭディスク１１には、１２で全体として示される少なくとも１つの取外し可能なセキュリティ部材が設けられる。好ましい実施の形態では、セキュリティ要素１２は、スクレーピング要素（scraping element）であり、図５に示されるように、保護被覆層３の小さな領域の代わりとなっている。
【００３９】
これに関連して、保護アクリル層３は、本発明のこの実装では、シルク・プリンティングのようなプリンティング処理によって、保護層の非ディスク上で正確な局在位置を有する明確に定められた小さな領域を残すようにして、情報運搬アルミニウム層２の外面に付与されることが好ましく、前記層は、例えば、図４に示されるように、例えば３ｍｍの直径の円形ドット１３の形態を有する。
【００４０】
保護層３によって覆われていないアルミニウム層２の領域に重なるようにスクレーピング要素１２の後段の適用をすることによって、スクレーピング要素１２は、この領域内のアルミニウム層２に直接接合される。
【００４１】
スクレーピング要素１２は、下層の支持部材に付加され初期に埋め込まれたまたは隠された情報の公開を行うために従来用いられるような任意適切な用具またはツールを使用して従来のスクレーピング技術によってディスクから取り外されうる。
【００４２】
それによって、ドット１３に該当するアルミニウム層２の小さな部分は、図６に示されるように等しく除去され、意図的な物理的変更として層に穴を開け、これにより、この穴の特定の地理的ディスク位置で格納された１つまたは複数のソフトウェア・コンポーネントの除去が行われる。
【００４３】
一般的に、このようにディスクの情報およびデータ運搬構造体から除去された１つまたは複数のソフトウェア・コンポーネントは、コンピュータが情報担体の完全な読取りを成功するために必要とされるインストールまたは制御データの部分を形成し、それにより、当該のソフトウェア・コンポーネントの除去が、異なるコンピュータ上で使用されることによるＣＤ−ＲＯＭディスクの後段の不正利用を防止することになる。
【００４４】
図７に示されるように、セキュリティ部材１２の取外しに起因する反射層２の小さな部分１３の除去による情報およびデータ運搬構造体の意図的な物理的変更は、問合せレーザ・ビーム１０に応答して情報パルスが読取りシステムの検出器８に向かって反射されないという効果を有する。これは、読取りエラーとしてコンピュータにより検出される。
【００４５】
物理的変更は、一意の識別コードによって指定または識別され、一意の識別コードは、コンピュータ・デバイス上の情報担体の応答に関連して、ディスクの読取り中に、コンピュータ・デバイスが、セキュリティ要素１２の取外しによって除去されている情報運搬層の部分１３に格納されたソフトウェア部分またはコンポーネントの除去の検証に限定される検出手順を遂行するように促す。
【００４６】
セキュリティ要素１２の取外しは、コピー・プロテクトされた真正のオリジナルの光情報担体製品の最初の読取り中に成立する。
【００４７】
ディスクの情報およびデータ運搬構造体に格納されたインストールまたは制御データは、コンピュータ・デバイスを有効にするためのインストールまたは制御データの最初の読取りに関連して、コンピュータ・デバイスが読取り動作を一時的に無効にさせる情報を含むように構造化または組織化され、それにより、コンピュータ・アプリケーション、エンターテイメント・プログラムまたはコンピュータ・ゲームのようなディスクに格納されたユーティリティ情報が、この時点でコンピュータ・デバイスに入力されないが、セキュリティ要素の取外しのためにＣＤ−ＲＯＭディスクをＣＤ−ＲＯＭドライブから除去するよう勧誘をユーザに伝えるようにする。
【００４８】
このように構造化されたインストールおよび制御データは、ＣＤ−ＲＯＭディスクの情報およびデータ運搬構造体に格納されるべき情報およびデータ・コンテンツ全体の一部を形成し、ディスクの製造中に情報またはデータ運搬層２に格納される。
【００４９】
本発明の好ましい実施の形態では、情報担体の意図的な物理的変更のターゲットの局在位置を指定する識別コードは、情報担体自体に格納され、セキュリティ要素の取外しのための一時的中断の前にディスクの最初の読取り中にコンピュータ・デバイスによって取得される。通常、識別コードは、セキュリティ要素の取外しによって除去されるべき情報運搬層の部分にインストールおよび制御データの部分とともに格納される。しかし、代替的に、情報担体の他の任意の好都合な部分に格納されてもよい。
【００５０】
さらに他の代替形態として、識別コードは、任意の好都合な通信手段による情報担体のユーザまたは購入者へのコードの先行の通信に続いて、ディスクの読取りの一時的中断の際に典型的にはキーボードを介してユーザ操作によってコンピュータ・デバイスに入力される必要がありうる。
【００５１】
本発明によるコピー・プロテクトされた光情報担体の動作の様々な態様が、図８から１０に示されるフロー図に示されている。
【００５２】
フロー図に示されように、本発明による光情報担体の各使用に関わる動作のシーケンスは、ＣＤ−ＲＯＭディスクをコンピュータ・デバイスのＣＤ−ＲＯＭドライブに挿入することから開始し、次いで、ディスク上のインストールおよび制御データを含むソフトウェアの読取りを試みる。
【００５３】
図８のフロー図に示されるような真正のオリジナルのＣＤまたはＣＤ−ＲＯＭ製品の最初のインストールまたはリプレイにおいて、コンピュータ・デバイスは、この最初の読取り中に、ディスク上の任意の読取りエラーの識別のための検出手順を遂行する。読取りエラーの存在が発見された場合、コンピュータは、インストール・プロセスを停止し打ち切る。真正のオリジナルの製品の場合であることが期待される、読取りエラーが識別されない場合、コンピュータは、後でディスクに与えられるべき意図的な物理的変更のディスクの局在位置を指定する一意の識別コードを取得し、この識別コードを格納する。
【００５４】
インストールおよび制御データによって促されると、コンピュータ・デバイスは、ここで一時的にインストール・プロセスを中断し、例えば、画面メッセージを表示することにより、ユーザにＣＤドライブからディスクを除去するように指示してセキュリティ要素を取り外す。この指示に従って、ユーザは、ＣＤを除去し、前述のようにセキュリティ要素を取り外し、それにより、ディスク上の明確に定められた局在位置を有する、例えば情報運搬層の特定のセクタにおける、意図的な物理的変更が、例えば情報運搬層における明確に定められた穴の形態で、引き起こされる。
【００５５】
セキュリティ要素を取り外すと、ユーザは、ディスクをＣＤドライブに再挿入し、それにより、コンピュータが読取りプロセスを再開するのを促し、その間に、前述のように、コンピュータ・デバイスが、ここで、識別コードによって識別された局在位置で読取りエラーの存在の識別のための検出手順を遂行する。
【００５６】
情報運搬層の意図的な物理的変更によって引き起こされた読取りエラーが検証されたという意味で、この検知手順の結果が肯定の場合のみ、コンピュータ・デバイスは、読取りプロセスを完了する。
【００５７】
読取りエラーが検出されない場合、セキュリティ要素の取外しとそれにより行われるべき意図的な物理的変更とが、適切に実行されなかったことを示す表示を提供する。このような場合、コンピュータ・デバイスは、図８の点線で示されるように、セキュリティ部材の取外しのための１つまたは複数の追加の試みの機会をユーザに与えるが、最終的にインストール・プロセスを停止し打ち切ることになる。
【００５８】
図９のフロー図は、最初のインストールまたはリプレイのための代替のモードを示し、このモードにより、識別コードが、ディスクに格納されないが、売買取引の部分としてまたは別個の通信によってユーザに伝達されている。
【００５９】
このモードの動作では、コンピュータ・デバイスは、インストールおよび制御データの最初の読取りの中断に続いて、ディスクのＣＤドライブへの再挿入の後に識別コードを入力するようにユーザに指示する。
【００６０】
他の態様では、この代替モードの動作は、図８のフロー図で示されるのと同じやり方で進行する。
【００６１】
図８のフロー図によって示される最初のインストールのための動作のモードでは、ディスクに作用した意図的な物理的変更は、最初のインストールに使用されたものとは異なるコンピュータ・デバイス上での光情報担体の有効なインストールを効果的に防止する。識別コードがインストール・プロセス中にコンピュータ・デバイスに格納されると、同じコンピュータ・デバイス上の情報担体の制限なしのリプレイが、図１０のフロー図に示されるように可能になり、それにより、最初のインストール中に行われた意図的な物理的変更によって引き起こされた読取りエラーの識別のためにコンピュータ・デバイスによって行われる検出が、真正のオリジナルのコピー・プロテクトされた製品の使用の検証として機能する。
【００６２】
この検証の測定は、意図的な物理的変更によって影響を受ける情報運搬層の部分の外側のディスク上の局在位置に識別コードの複製を格納することによってさらに改善されうる。次いで、情報担体の反復リプレイが、製品の最初のインストール中にコンピュータ・デバイスに格納された識別コードと複製との比較が肯定であることを条件として行われうる。
【００６３】
本発明の特定の実施の形態によれば、最初のインストールに使用されるコンピュータ・デバイス上のプロテクトされた光情報担体のリプレイの機会は、限定されてよいが、所定の回数のみリプレイ可能なように限定されうる。
【００６４】
図４に示されるように、情報担体は、情報運搬層の個々の部分に前述のやり方で接合されたいくつかの別個の取外し可能なセキュリティ要素の形態で変更手段を含んでもよく、それらの部分は個々の識別コードによって識別され、それらの識別コードは、情報担体上の異なる指定された位置に格納されるか、または前述のようにユーザに伝達されうる。
【００６５】
図１１のフロー図に示されるように、この特定の実施の形態についての情報運搬のリプレイまたは再インストールのための動作のモードは、最初のインストール中に行われた意図的な物理的変更によって引き起こされた読取りエラーの識別の後、情報担体上の他の位置の任意の読取りエラーに対する検出手順をコンピュータ・デバイスが遂行するよう促す。
【００６６】
読取りエラーが発見されない場合、コンピュータ・デバイスは、インストールおよび制御データによって指定された情報担体上の位置から新しい識別コードを取得し格納するが、この識別コードは、別のセキュリティ要素の取外しによって行われるべき新しい意図的な物理的変更のための情報担体上のターゲット位置を識別するものである。
【００６７】
それにより、ソフトウェアによって許可されたリプレイの回数の範囲内の各リプレイについてのインストール手順が、図８のフロー図に示されるのと同じやり方で進行する。
【００６８】
特定の実施の形態における情報担体上に備えられる追加のセキュリティ要素の数は、通常、１から１０もしくはさらに多くに及ぶことがあり、追加のセキュリティ要素は、好ましくは、連続した順序に従って可視的に番号が付けられ、そこで、追加のセキュリティ要素は、連続した順序に従って取り外され、コンピュータ・デバイスは、対応する識別コードを適用する。
【００６９】
様々な特定の実施の形態および実装形態によって上記で本発明が説明されているが、本発明の範囲は、これらの実施の形態または実装形態に限定されず、しかし、特に、添付の特許請求の範囲の範囲内で、意図的な物理的変更が取外し可能なセキュリティ要素の取外し以外の手段によって行われる変形形態も含む。
【図面の簡単な説明】
【００７０】
【図１】従来のＣＤ−ＲＯＭディスクの形態で光情報担体の断片を示す拡大された断面図である。
【図２】コンピュータ・デバイスのＣＤ−ＲＯＭドライブのような従来の光学式読取りシステムによる図１に示される情報担体の読取りによる動作原理を示す単純化された概略図である。
【図３】コンピュータ・デバイスのＣＤ−ＲＯＭドライブのような従来の光学式読取りシステムによる図１に示される情報担体の読取りによる動作原理を示す単純化された概略図である。
【図４】本発明によるコピー・プロテクトされた光情報担体を示す平面図である。
【図５】本発明によるコピー・プロテクトされた光情報担体を示す拡大された断片的な断面図である。
【図６】取外し可能なセキュリティ要素の取外し後の図５の実施の形態を示す拡大された断片的な断面図である。
【図７】図４および５に示される情報担体の情報およびデータ運搬構造の意図的変更の検出による動作原理の図２および３における例示に対応する例示を示す図である。
【図８】図４および５に示される情報担体の動作の代替的モードを示す図である。
【図９】図４および５に示される情報担体の動作の代替的モードを示す図である。
【図１０】図４および５に示される情報担体の動作の代替的モードを示す図である。
【図１１】図４および５に示される情報担体の動作の代替的モードを示す図である。
【図１】
2009506470.tif 000003
【図２】
2009506470.tif 000004
【図３】
2009506470.tif 000005
【図４】
2009506470.tif 000006
【図５】
2009506470.tif 000007
【図６】
2009506470.tif 000008
【図７】
2009506470.tif 000009
【図８】
2009506470.tif 000010
【図９】
2009506470.tif 000011
【図１０】
2009506470.tif 000012
【図１１】
2009506470.tif 000013
【国際調査報告】
2009506470.tif 000014
2009506470.tif 000015
2009506470.tif 000016